(57)【要約】【課題】表示手段に表示される複数のコンテンツ情報を閲覧者にとって閲覧し易くする。【解決手段】本発明にかかる情報処理装置１００は、表示対象のコンテンツ情報の中に、同一の項目に紐付けられた複数のコンテンツ情報が存在する場合は、同一の項目に紐付けられた複数のコンテンツ情報の中から同一の項目を代表する代表コンテンツ情報を表示対象のコンテンツ情報として選択する。そして、代表コンテンツ情報を表示手段２０に表示した場合は、代表コンテンツ情報の項目に紐付けられた複数のコンテンツ情報を表示手段２０に一覧表示する一覧表示手段を、表示手段２０に表示した代表コンテンツ情報に対する所定の操作に応じて有効にするか否かを切り替える。【選択図】図１
2015222565.tif 000002
【特許請求の範囲】
【請求項１】
ネットワークを介して複数のコンテンツ情報を取得する取得手段と、
前記取得手段により取得する複数のコンテンツ情報の中に、内容が一致するコンテンツ情報がある場合に、前記内容が一致するコンテンツ情報を、前記内容を特定する項目に紐付ける纏め手段と、
前記取得手段により取得する複数のコンテンツ情報の中から表示手段に表示する表示対象のコンテンツ情報を複数選択する選択手段と、
前記選択手段で選択された複数の表示対象のコンテンツ情報を前記表示手段に表示する表示制御手段と、を有し、
前記選択手段は、
前記表示対象のコンテンツ情報の中に、同一の前記項目に紐付けられた複数のコンテンツ情報が存在する場合は、同一の前記項目に紐付けられた複数のコンテンツ情報の中から同一の前記項目を代表する代表コンテンツ情報を表示対象のコンテンツ情報として選択する第１の選択手段を有し、
前記表示制御手段は、
前記第１の選択手段で選択された前記代表コンテンツ情報を前記表示手段に表示した場合は、前記代表コンテンツ情報の前記項目に紐付けられた複数のコンテンツ情報を前記表示手段に一覧表示する一覧表示手段を、前記表示手段に表示した前記代表コンテンツ情報に対する所定の操作に応じて有効にするか否かを切り替える、ことを特徴とする情報処理装置。
【請求項２】
前記表示制御手段は、
前記表示手段に表示した前記代表コンテンツ情報に対するユーザ操作が行われている場合は、前記一覧表示手段を有効に切り替え、前記表示手段に表示した前記代表コンテンツ情報に対するユーザ操作が行われていない場合は、前記一覧表示手段を無効に切り替える、ことを特徴とする請求項１記載の情報処理装置。
【請求項３】
前記表示制御手段は、
前記一覧表示手段が有効な状態の場合は、前記一覧表示手段を実行するためのアイコンを、前記表示手段に表示した前記代表コンテンツ情報に紐付けて前記表示手段に表示し、前記アイコンが選択された場合は、前記一覧表示手段を実行し、前記代表コンテンツ情報の前記項目に紐付けられた複数のコンテンツ情報を前記表示手段に一覧表示する、ことを特徴とする請求項１または請求項２記載の情報処理装置。
【請求項４】
前記一覧表示手段は、
前記代表コンテンツ情報の前記項目に紐付けられた複数のコンテンツ情報を、前記表示手段に前記代表コンテンツ情報が表示された表示領域と異なる表示領域で一覧表示する、ことを特徴とする請求項３記載の情報処理装置。
【請求項５】
前記表示制御手段は、
前記表示手段に複数の表示領域を形成し、該形成した各表示領域に前記選択手段で選択された各表示対象のコンテンツ情報を表示し、
前記一覧表示手段を実行した場合は、
前記代表コンテンツ情報が表示された表示領域と、当該表示領域に隣接する表示領域と、の間の表示領域を広げ、該広げた表示領域に複数の表示領域を形成し、該形成した各表示領域に、前記代表コンテンツ情報の前記項目に紐付けられた各コンテンツ情報を表示し、
前記一覧表示手段の実行を終了する場合は、
前記代表コンテンツ情報が表示された表示領域と、当該表示領域に隣接する表示領域と、の間の表示領域を閉じ、各表示対象のコンテンツ情報を前記表示手段の各表示領域に表示した状態に戻す、ことを特徴とする請求項３または４記載の情報処理装置。
【請求項６】
前記一覧表示手段は、
前記代表コンテンツ情報の前記項目に紐付けられた複数のコンテンツ情報を、前記表示手段に前記代表コンテンツ情報が表示された表示領域で一覧表示する、ことを特徴とする請求項３記載の情報処理装置。
【請求項７】
前記纏め手段は、
前記コンテンツ情報に含まれるキーワードを前記コンテンツ情報毎に比較し、キーワードが一致するコンテンツ情報同士がある場合に、内容が一致するコンテンツ情報があると判断し、前記内容が一致するコンテンツ情報を、前記キーワードを前記項目として紐付ける、ことを特徴とする請求項１から請求項６の何れか１項に記載の情報処理装置。
【請求項８】
前記纏め手段は、
前記コンテンツ情報に含まれる画像を前記コンテンツ情報毎に比較し、画像が類似するコンテンツ情報同士がある場合に、内容が一致するコンテンツがあると判断する請求項７記載の情報処理装置。
【請求項９】
前記纏め手段は、
前記コンテンツ情報の前記取得手段が前記コンテンツ情報を取得した取得時を前記コンテンツ情報毎に比較し、前記取得時が近接するコンテンツ情報同士がある場合に、内容が一致するコンテンツ情報があると判断する請求項７または請求項８記載の情報処理装置。
【請求項１０】
前記表示制御手段は、
前記アイコンを前記代表コンテンツ情報に紐付けて前記表示手段に表示した状態で前記代表コンテンツ情報が選択された場合は、前記代表コンテンツ情報の詳細情報を前記代表コンテンツ情報の提供サイトから取得して前記表示手段に表示する、ことを特徴とする請求項１から請求項９の何れか１項に記載の情報処理装置。
【請求項１１】
ネットワークを介して複数のコンテンツ情報を取得する取得処理と、
前記取得処理により取得する複数のコンテンツ情報の中に、内容が一致するコンテンツ情報がある場合に、前記内容が一致するコンテンツ情報を、前記内容を特定する項目に紐付ける纏め処理と、
前記取得処理により取得する複数のコンテンツ情報の中から表示手段に表示する表示対象のコンテンツ情報を複数選択する選択処理と、
前記選択処理で選択された複数の表示対象のコンテンツ情報を前記表示手段に表示する表示制御処理と、をコンピュータに実行させ、
前記選択処理は、
前記表示対象のコンテンツ情報の中に、同一の前記項目に紐付けられた複数のコンテンツ情報が存在する場合は、同一の前記項目に紐付けられた複数のコンテンツ情報の中から同一の前記項目を代表する代表コンテンツ情報を表示対象のコンテンツ情報として選択する第１の選択処理を有し、
前記表示制御処理は、
前記第１の選択処理で選択された前記代表コンテンツ情報を前記表示手段に表示した場合は、前記代表コンテンツ情報の前記項目に紐付けられた複数のコンテンツ情報を前記表示手段に一覧表示する一覧表示処理を、前記表示手段に表示した前記代表コンテンツ情報に対する所定の操作に応じて有効にするか否かを切り替える、ことを特徴とするプログラム。
【発明の詳細な説明】
【技術分野】
【０００１】
本発明は、複数のコンテンツ情報を表示手段に表示する技術に関する。
【背景技術】
【０００２】
近年、ネット上の様々なサイトから各種コンテンツ情報を取得し、世の中のトレンドと閲覧者の興味に応じた複数のコンテンツ情報を纏めて１つの画面上で閲覧することが可能になっている。
【０００３】
コンテンツ情報としては、例えば、映像、画像、音楽、記事、広告、あるいはそれらを組み合わせた各種コンテンツ情報があげられる。
【０００４】
しかし、１つの画面上に表示するコンテンツ情報の選択によっては、１つの画面上に同じ内容のコンテンツ情報が複数表示されてしまう場合がある。例えば、世の中で話題の製品（例えば、I Phone）が発表された場合は、その製品に関する内容の各種コンテンツ情報がネット上に存在することになる。このため、ネット上の様々なサイトから各種コンテンツ情報を取得した場合は、その製品に関する内容の各種コンテンツ情報を取得することになり、その製品に関する内容の各種コンテンツ情報が１つの画面上に複数表示されてしまう場合が発生することになる。この場合、閲覧者は、表示画面を一見しただけでは、製品に関する内容の各種コンテンツ情報だけが画面上に表示されたと判断し、その画面表示が閲覧者にとって煩わしく感じてしまう場合が考えられる。このため、同じ内容のコンテンツ情報は纏めて１つの代表的なコンテンツ情報を画面上に表示し、複数のコンテンツ情報を閲覧者にとって閲覧し易い画面表示にする必要がある。
【０００５】
なお、特許文献１（特開２０１３−１８６５３２号公報）には、複数の情報を１つの画面に纏めて表示する技術について開示されている。
【０００６】
特許文献１では、各時間帯で注目されている複数の情報を時系列に表示する点について開示されている。
【先行技術文献】
【特許文献】
【０００７】
【特許文献１】特開２０１３−１８６５３２号公報
【発明の概要】
【発明が解決しようとする課題】
【０００８】
特許文献１は、各時間帯で注目されている複数の情報を時系列に表示しているため、どの時間帯でどの情報が注目されているかを把握することができる。
【０００９】
しかし、特許文献１の発明においても、ある時間帯で注目されている同一内容の情報が複数存在する場合は、その同一内容の複数の情報を１つの画面上に表示してしまうことになる。その結果、特許文献１の発明においても、同一内容の複数の情報を１つの画面上に表示した場合は、閲覧者にとって煩わしく感じさせてしまう場合がある。
【００１０】
本発明の目的は、表示手段に表示される複数のコンテンツ情報を閲覧者にとって閲覧し易くすることにある。
【課題を解決するための手段】
【００１１】
本発明にかかる情報処理装置は、
ネットワークを介して複数のコンテンツ情報を取得する取得手段と、
前記取得手段により取得する複数のコンテンツ情報の中に、内容が一致するコンテンツ情報がある場合に、前記内容が一致するコンテンツ情報を、前記内容を特定する項目に紐付ける纏め手段と、
前記取得手段により取得する複数のコンテンツ情報の中から表示手段に表示する表示対象のコンテンツ情報を複数選択する選択手段と、
前記選択手段で選択された複数の表示対象のコンテンツ情報を前記表示手段に表示する表示制御手段と、を有し、
前記選択手段は、
前記表示対象のコンテンツ情報の中に、同一の前記項目に紐付けられた複数のコンテンツ情報が存在する場合は、同一の前記項目に紐付けられた複数のコンテンツ情報の中から同一の前記項目を代表する代表コンテンツ情報を表示対象のコンテンツ情報として選択する第１の選択手段を有し、
前記表示制御手段は、
前記第１の選択手段で選択された前記代表コンテンツ情報を前記表示手段に表示した場合は、前記代表コンテンツ情報の前記項目に紐付けられた複数のコンテンツ情報を前記表示手段に一覧表示する一覧表示手段を、前記表示手段に表示した前記代表コンテンツ情報に対する所定の操作に応じて有効にするか否かを切り替える、ことを特徴とする。
【発明の効果】
【００１２】
本発明によれば、表示手段に表示される複数のコンテンツ情報を閲覧者にとって閲覧し易くすることができる。
【図面の簡単な説明】
【００１３】
【図１】本実施形態の情報処理装置１００の構成例を示す図である。
【図２】情報ソーステーブルの一例を示す図である。
【図３】操作表示部２０に表示される表示画面の遷移例を示す図である。
【図４】時間順一覧表示画面３０１の構成例を示す図である。
【図５】カテゴリ順一覧表示画面３０２の構成例を示す図である。
【図６】本実施形態の情報処理装置１００の処理動作例を示す第１の図である。
【図７】本実施形態の情報処理装置１００の処理動作例を示す第２の図である。
【図８】纏め読みアイコン５００を表示した状態の表示画面例を示す図である。
【図９】同一の項目に紐付けられた複数のコンテンツ情報を纏め読みする場合の表示画面例を示す図である。
【図１０】同一の項目に紐付けられたコンテンツ情報の詳細情報を閲覧する場合の表示画面例を示す図である。
【図１１】同一の項目に紐付けられた複数のコンテンツ情報を纏め読みする場合の別の表示画面例を示す図である。
【発明を実施するための形態】
【００１４】
＜本発明の一態様にかかる情報処理装置１００の概要＞
まず、図１を参照しながら、本発明の一態様にかかる情報処理装置１００について説明する。図１は、本発明の一態様にかかる情報処理装置１００の構成例を示す。
【００１５】
本発明の一態様にかかる情報処理装置１００は、取得手段、纏め手段、選択手段、表示制御手段を有して構成する。
【００１６】
取得手段は、ネットワークを介して複数のコンテンツ情報を取得する。取得手段は、コンテンツ情報取得部４１が機能する。
【００１７】
纏め手段は、取得手段により取得する複数のコンテンツ情報の中に、内容が一致するコンテンツ情報がある場合に、その内容が一致するコンテンツ情報を、その内容を特定する項目に紐付ける。纏め手段は、纏め部４４が機能する。
【００１８】
選択手段は、取得手段により取得する複数のコンテンツ情報の中から表示手段に表示する表示対象のコンテンツ情報を複数選択する。表示手段は、操作表示部２０が機能する。選択手段は、コンテンツ情報選択部４５が機能する。
【００１９】
表示制御手段は、選択手段で選択された複数の表示対象のコンテンツ情報を表示手段に表示する。表示制御手段は、表示制御部４６が機能する。
【００２０】
本発明の一態様にかかる選択手段は、表示対象のコンテンツ情報の中に、同一の項目に紐付けられた複数のコンテンツ情報が存在する場合は、その同一の項目に紐付けられた複数のコンテンツ情報の中から同一の項目を代表する代表コンテンツ情報を表示対象のコンテンツ情報として選択する。そして、表示制御手段は、選択手段で選択された代表コンテンツ情報を表示手段に表示した場合は、その代表コンテンツ情報の項目に紐付けられた複数のコンテンツ情報を表示手段に一覧表示する一覧表示手段を、表示手段に表示した代表コンテンツ情報に対する所定の操作に応じて有効にするか否かを切り替える。
【００２１】
本発明の一態様にかかる情報処理装置１００は、表示対象のコンテンツ情報の中に、同一の項目に紐付けられた複数のコンテンツ情報が存在する場合は、その同一の項目に紐付けられた複数のコンテンツ情報の中から同一の項目を代表する代表コンテンツ情報を表示手段に表示することにしている。これにより、表示手段に表示される複数のコンテンツ情報が同じ内容になってしまうことを防止することができるため、表示手段に表示される複数のコンテンツ情報を閲覧者にとって閲覧し易くすることができる。また、表示手段に表示した代表コンテンツ情報の項目に紐付けられた複数のコンテンツ情報を表示手段に一覧表示する一覧表示手段を、表示手段に表示した代表コンテンツ情報に対する所定の操作に応じて有効にするか否かを切り替えることにしている。このため、代表コンテンツ情報の項目に紐付けられた複数のコンテンツ情報の一覧を表示手段に簡単な操作で表示することができる。以下、添付図面を参照しながら、本発明の一態様にかかる情報処理装置１００について詳細に説明する。
【００２２】
＜情報処理装置１００の構成例＞
まず、図１を参照しながら、本実施形態の情報処理装置１００の構成例について説明する。図１は、本実施形態の情報処理装置１００の構成例を示す図である。情報処理装置１００としては、例えば、ＰＣ、スマートフォンなど各種の機器が該当する。
【００２３】
本実施形態の情報処理装置１００は、通信部１０、操作表示部２０、記憶部３０、制御部４０を有して構成する。
【００２４】
通信部１０は、有線または無線により、インターネットなどのネットワークを介して、各種Ｗｅｂサーバ２００等に接続する。また、ＴＶ受信用アンテナおよびＴＶチューナを備え、ＴＶ番組表やＴＶ番組放送を受信する。
【００２５】
操作表示部２０は、例えばタッチパネルディスプレイなどであり、各種コンテンツ情報を画面表示すると共に、ユーザによる操作入力を受け付ける。操作表示部２０に表示するコンテンツ情報としては、映像、画像、音楽、記事、広告、あるいはそれらを組み合わせた各種情報があげられる。
【００２６】
記憶部３０は、各種情報を記憶する。本実施形態の記憶部３０は、コンテンツ情報蓄積部３１を有している。コンテンツ情報蓄積部３１は、ネットワーク上の各種Ｗｅｂサーバ２００等に格納されている各種コンテンツ情報を取得して予め定めたカテゴリ毎に分類して蓄積する。コンテンツ情報蓄積部３１は、例えば、図２に示すような情報ソーステーブルに基づいてインターネット上の各種Ｗｅｂサーバ２００等から取得したコンテンツ情報を記憶する。図２に示す情報ソーステーブルは、「政治」、「経済」、「スポーツ」などのカテゴリが各ＵＲＩに紐付けられている。コンテンツ情報は、このＵＲＩに基づいて取得したＲＳＳやＡｔｏｍフィードに含まれる記事の１つ１つのようなものである。これにより、コンテンツ情報蓄積部３１には、様々なカテゴリの各種コンテンツ情報が蓄積されることになる。
【００２７】
制御部４０は、情報処理装置１００の制御を行う。本実施形態の制御部４０は、コンテンツ情報取得部４１、個人的注目度解析部４２、社会的注目度解析部４３、纏め部４４、コンテンツ情報選択部４５、表示制御部４６を有している。
【００２８】
コンテンツ情報取得部４１は、通信部１０によりネットワークを介して各種Ｗｅｂサーバ２００に接続し、各種コンテンツ情報を取得する。コンテンツ情報取得部４１が取得した各種コンテンツ情報は、コンテンツ情報蓄積部３１にカテゴリ毎に分類して蓄積する。
【００２９】
個人的注目度解析部４２は、各コンテンツ情報に対するユーザの興味推定値である個人的注目度を求める。コンテンツ情報蓄積部３１には、各種コンテンツ情報を予め定めたカテゴリ毎に分類して蓄積している。個人的注目度解析部４２は、コンテンツ情報蓄積部３１に蓄積された各種コンテンツ情報の個人的注目度を求める。これにより、どのコンテンツ情報の個人的注目度が高く、どのコンテンツ情報の個人的注目度が低いのかを把握することができる。個人的注目度は、ユーザ個人のコンテンツ情報に対する嗜好の度合いを特定する指標となる値であり、ユーザ個人の評価指標によって得られる。個人的注目度は、コンテンツ情報に対する得点、偏差値、順位、あるいはそれらを組み合わせたものがあげられる。個人的注目度の高いコンテンツ情報は、ユーザ個人がそのコンテンツ情報に興味があることを意味し、個人的注目度の低いコンテンツ情報は、ユーザ個人がそのコンテンツ情報に興味がないことを意味する。コンテンツ情報蓄積部３１は、各種コンテンツ情報をカテゴリ毎に分類して蓄積している。このため、個人的注目度の高いコンテンツ情報のカテゴリは、注目度が高くなり、個人的注目度の低いコンテンツ情報のカテゴリは、注目度が低くなる。これにより、カテゴリに対する注目度も求めることができる。
【００３０】
個人的注目度は、例えば、操作表示部２０に表示したコンテンツ情報に対するユーザ操作およびそのコンテンツ情報に含まれるキーワードを用いて決定する。ユーザ操作としては、例えば、コンテンツ情報を開いた、コンテンツ情報を開かなかった、コンテンツ情報に対して良いコメントをした、コンテンツ情報に対して悪いコメントをした、コンテンツ情報を保存した、コンテンツ情報を捨てたなどの操作があげられる。このユーザ操作の中で、コンテンツ情報を開いた、コンテンツ情報に対して良いコメントをした、コンテンツ情報を保存したなどの操作は、個人的注目度と正の相関を示す操作に該当する。また、コンテンツ情報を開かなかった、コンテンツ情報に対して悪いコメントをした、コンテンツ情報を捨てたなどの操作は、個人的注目度と負の相関を示す操作に該当する。これにより、個人的注目度と正の相関を示す操作が行われたコンテンツ情報に含まれるキーワードと同じキーワードを含むコンテンツ情報は、個人的注目度が高くなり、個人的注目度と負の相関を示す操作が行われたコンテンツ情報に含まれるキーワードと同じキーワードを含むコンテンツ情報は、個人的注目度が低くなる。なお、コンテンツ情報の個人的注目度は、ユーザ操作によって求められるため、学習速度が遅い。
【００３１】
社会的注目度解析部４３は、各コンテンツ情報に対する他ユーザの興味推定値である社会的注目度を求める。コンテンツ情報蓄積部３１には、各種コンテンツ情報を予め定めたカテゴリ毎に分類して蓄積している。社会的注目度解析部４３は、コンテンツ情報蓄積部３１に蓄積された各種コンテンツ情報の社会的注目度を求める。これにより、どのコンテンツ情報の社会的注目度が高く、どのコンテンツ情報の社会的注目度が低いのかを把握することができる。社会的注目度は、複数のユーザのコンテンツ情報に対する相対的な嗜好の度合いを特定する指標となる値であり、複数のユーザの評価指標によって得られる。社会的注目度は、コンテンツ情報に対する得点、偏差値、順位、あるいはそれらを組み合わせたものがあげられる。社会的注目度の高いコンテンツ情報は、複数のユーザが相対的にそのコンテンツ情報に興味があることを意味する。社会的注目度の低いコンテンツ情報は、複数のユーザが相対的にそのコンテンツ情報に興味がないことを意味する。社会的注目度は、例えば、コンテンツ情報に対するツイート数に基づいて決定する。また、コンテンツ情報を気に入ったユーザ数に基づいて決定する。また、コンテンツ情報のページビュー、PageRankなどの他のユーザによるコンテンツ情報の閲覧操作によって決定しても良い。コンテンツ情報の社会的注目度は、複数のユーザによってリアルタイムに求められるため、学習速度が早い。各コンテンツ情報に対する社会的注目度は、Ｗｅｂサーバ２００等から纏めて取得することも可能である。
【００３２】
纏め部４４は、内容が一致する複数のコンテンツ情報を、その内容を特定する項目に紐付けて纏めてグループ化する。纏め部４４は、コンテンツ情報蓄積部３１に蓄積された各種コンテンツ情報の内容を解析し、内容が一致するコンテンツ情報がある場合に、その内容が一致するコンテンツ情報を、その内容を特定する項目に紐付けて纏めてグループ化する。コンテンツ情報の内容が一致するか否かは、例えば、コンテンツ情報に含まれる主要なキーワードを比較し、主要なキーワードが一致する場合は、コンテンツ情報の内容が一致すると判断する。主要なキーワードは、形態素解析などを用いることで名詞等のキーワードをコンテンツ情報から抽出し、その抽出したキーワードの中からキーワードの出現頻度等によりコンテンツ情報の内容を特定することが可能な主要なキーワードを抽出する。他の基準によりコンテンツ情報の内容が一致するか否かを判断してもよく、例えば主要なキーワードに代えて、または主要なキーワードとともに、コンテンツ情報に含まれる画像の類似やコンテンツ情報配信日の近接等を判断基準としてもよい。纏め部４４は、内容が一致するコンテンツ情報がある場合に、双方のコンテンツ情報の中で一致した主要なキーワードを、内容を特定する項目とし、その主要なキーワードに紐付けて複数のコンテンツ情報を纏める。
【００３３】
コンテンツ情報選択部４５は、操作表示部２０に表示する表示対象のコンテンツ情報を選択する。コンテンツ情報選択部４５は、表示対象のコンテンツ情報を表示する際の表示画面の表示形式に応じて、表示対象とされる所定数のコンテンツ情報を、個人的注目度解析部４２で求めた個人的注目度、社会的注目度解析部４３で求めた社会的注目度などを用いて選択する。なお、本実施形態において表示対象とは、操作表示部２０に一度に表示される表示画面に加えて、表示画面のスクロールにより表示される画面についても、表示対象として扱う対象に含める。
【００３４】
コンテンツ情報選択部４５は、表示対象とされる所定数のコンテンツ情報の中に、纏め部４４により同一の項目に紐付けられたコンテンツ情報が複数存在する場合は、その同一の項目に紐付けられた複数のコンテンツ情報の中から代表的な１つのコンテンツ情報を表示対象とされるコンテンツ情報として選択する。代表的な１つのコンテンツ情報は、例えば、同一の項目に紐付けられた複数のコンテンツ情報の中で最も注目度の高いコンテンツ情報とすることが好ましい。この場合、個人的注目度解析部４２で求めた個人的注目度が最も高いコンテンツ情報、社会的注目度解析部４３で求めた社会的注目度が最も高いコンテンツ情報、個人的注目度解析部４２で求めた個人的注目度と社会的注目度解析部４３で求めた社会的注目度とを総合した総合注目度が最も高いコンテンツ情報を代表的な１つのコンテンツ情報にする。総合注目度は、個人的注目度と社会的注目度とを単に加算した値にしても良く、また、個人的注目度と社会的注目度とに対して任意の重み付けを施して加算した値にしても良い。この場合、個人的注目度に施す重み付けと社会的注目度に施す重み付けとを任意に設定変更するようにすることも可能である。例えば、初期の段階は、個人的注目度の学習速度が遅いため、個人的注目度の重み付けを社会的注目度よりも大きくするようにし、個人的注目度の学習が蓄積されていくに従い、個人的注目度の重み付けを小さくしていき最終的に社会的注目度と同じ重み付けにするようにしても良い。
【００３５】
また、代表的なコンテンツ情報は、コンテンツ情報のページビュー、PageRankなどの他のユーザによる注目度によって決定しても良いし、情報量（文字数や写真の有無）などで決定しても良い。また、コンテンツ情報の一般的（マス的、平均値、社会的）な重要度を求めても良い。一定時間あたりの平均アクセス数、GoogleのPageRank、サイト内での扱い方（pickupされているか、掲載場所はどこかなど）から重要度を計算する。
【００３６】
表示制御部４６は、コンテンツ情報選択部４５で表示対象とされたコンテンツ情報を操作表示部２０に表示する。この場合、表示制御部４６は、コンテンツ情報蓄積部３１に蓄積されたコンテンツ情報を用いて、コンテンツ情報選択部４５で表示対象とされたコンテンツ情報に対応する一覧用画像を生成する。なお、表示制御部４６は、一覧用画像を生成するために、詳細情報や画像データなどの追加で取得が必要な所定種類の他の情報が存在する場合は、その所定種類の情報を追加情報として取得する。例えば、コンテンツ情報に画像データが存在しない場合は、そのコンテンツ情報のカテゴリに対応する画像データを取得する。カテゴリに対応する画像データは、Ｗｅｂサーバ２００等から取得して記憶部３０等に予め記憶しておく。なお、コンテンツ情報蓄積部３１に蓄積されたコンテンツ情報で一覧用画像を生成可能であれば、追加情報なしで一覧用画像を生成する。なお、表示制御部４６は、コンテンツ情報の取得のために配信される配信用情報を基に表示対象とされたコンテンツ情報の一覧用画像を作成することも可能である。配信用情報としては、ＲＳＳやＡｔｏｍフィードなどの各種フィードがあげられる。
【００３７】
表示制御部４６は、コンテンツ情報蓄積部３１に蓄積されたコンテンツ情報を用いて、例えば、画像データ、ＲＳＳフィードに含まれる要約テキストデータを予め定められたレイアウトで配置するなどの方法により、表示対象として選択された各コンテンツ情報に対応する一覧用画像を生成する。
【００３８】
次に、表示制御部４６は、設定された一覧画面の表示形式に応じて、上記生成した一覧用画像を所定の画面フォーマット内に配置し、操作表示部２０に表示させる一覧表示画面を生成し、操作表示部２０に表示する。一覧用画像は、個人的注目度解析部４２で求めた個人的注目度と、社会的注目度解析部４３で求めた社会的注目度と、に基づいて総合注目度の高いカテゴリ単位から順に並べられ、設定された表示形式に応じて、一覧表示画面の所定の画面フォーマット内に配置される。
【００３９】
なお、表示制御部４６は、纏め部４４により同一の項目に紐付けられたコンテンツ情報の一覧用画像がある場合は、その同一の項目に紐付けられたコンテンツ情報の数を一覧用画像に併せて表示する。これにより、閲覧者は、一覧用画像に併せて表示した数を基に、その一覧用画像のコンテンツ情報と同じ内容のコンテンツ情報がいくつあるかを把握することができる。
【００４０】
＜操作表示部２０に表示される画面遷移例＞
次に、図３〜図５を参照しながら、操作表示部２０に表示される画面遷移例について説明する。図３は、操作表示部２０に表示される画面遷移例を示す。図４は、時間順一覧表示画面３０１の構成例を示す。図５は、カテゴリ順一覧表示画面３０２の構成例を示す。
【００４１】
本実施形態の機能を実現するアプリケーションのアイコンが操作表示部２０でクリックされると、設定に応じて、図３に示すように、時間順またはカテゴリ順で構成されたコンテンツ情報の一覧表示画面３０１、３０２が操作表示部２０に表示される。
【００４２】
時間順一覧表示画面３０１は、例えば、図４に示すように、表示モード設定４００として「時間順」と表示され、コンテンツ情報の配信時間帯を示す表示単位４０１毎に、一覧用画像群４０２が表示される。表示モード設定４００は、時間順一覧表示画面３０１またはカテゴリ順一覧表示画面３０２を操作表示部２０に表示する場合に設定する。図４の例では、時間順に設定されている。また、図４の例では、表示単位４０１として、「１２月２０日の夕方」が表示されている。表示単位４０１は、朝、昼、午後、夕方、夜などの各種時間帯が時系列で順次表示される。このため、例えば、図４の一覧用画像群４０２が表示されている箇所を左横にスクロール操作すると、「１２月２０日の夕方」の前の時間帯である「１２月２０日の午後」が操作表示部２０上に表示される。また、各表示単位４０１に対して、所定数ずつの一覧用画像が一覧用画像群４０２として配置される。一覧用画像群４０２に配置される所定数の一覧用画像は、配信時間帯の中で注目度の高いコンテンツ情報から順番に配置される。例えば、注目度の高いコンテンツ情報から順番に表示領域Ａ、Ｂ、Ｃ、Ｄ、Ｅ、Ｆの順に配置されて表示される。なお、表示領域Ａに表示されるコンテンツ情報は、纏め部４４により同一の項目に紐付けられたコンテンツ情報であるため、その項目に紐付けられたコンテンツ情報の数を示す「２１」の情報が表示されている。これにより、表示領域Ａに表示されたコンテンツ情報と同じ内容のコンテンツ情報が２１個存在することをユーザが容易に把握することができる。なお、他の表示領域Ｂ〜Ｆに表示されるコンテンツ情報は、纏め部４４により同一の項目に紐付けられたコンテンツ情報でないため、数が表示されていない。また、図４では、操作表示部２０の左端に各カテゴリを示すカテゴリインデックス４０３が表示されている。カテゴリインデックス４０３は、コンテンツ情報蓄積部３１にカテゴリ毎にコンテンツ情報を蓄積した際に使用したカテゴリの一覧を示すものであり、注目度の高いカテゴリから順番に降順で表示される。なお、図４に表示されていないカテゴリについては、図４のカテゴリインデックス４０３が表示されている箇所を上方向にスクロール操作することで順次表示される。カテゴリ単位の注目度は、カテゴリ毎のコンテンツ情報で求めた個人的注目度を基に求める。これにより、情報処理装置１００を操作するユーザが興味のあるカテゴリの注目度は高くなり、操作表示部２０に優先的に表示されることになる。また、ユーザが興味のないカテゴリの注目度は低くなり、操作表示部２０に優先的に表示され難くなる。図４では、「デザイン・アート」のカテゴリの注目度が最も高く、「音楽」→「ファッション」の順番に注目度が低くなっているため、「デザイン・アート」→「音楽」→「ファッション」の降順で表示されている。
【００４３】
カテゴリ順一覧表示画面３０２は、例えば、図５に示すように、表示モード設定４００として「カテゴリ順」と表示され、表示対象とする表示カテゴリを示す表示単位４０１毎に、一覧用画像群４０２が表示される。図５の例では、表示単位４０１として、最も注目度の高い「デザイン・アート」が表示されている。表示単位４０１は、注目度の高いカテゴリ順に順次表示される。このため、例えば、図５の一覧用画像群４０２が表示されている箇所を左横にスクロール操作すると、「デザイン・アート」の次に注目度が高い「音楽」が表示される。また、各表示単位４０１である表示カテゴリに対して、所定数ずつの一覧用画像が一覧用画像群４０２として配置される。一覧用画像群４０２に配置される所定数の一覧用画像は、カテゴリ単位の中で注目度の高いコンテンツ情報から順番に配置される。例えば、注目度の高いコンテンツ情報から順番に表示領域Ａ、Ｂ、Ｃ、Ｄ、Ｅ、Ｆの順に配置されて表示される。表示領域Ａ〜Ｆに表示されるコンテンツ情報の一覧用画像は、コンテンツ情報蓄積部３１にカテゴリ毎に蓄積された所定範囲の時間帯内のコンテンツ情報の中から注目度が高い順にコンテンツ情報の一覧用画像を表示しても良く、また、コンテンツ情報蓄積部３１にカテゴリ毎に蓄積された最新の時間帯内のコンテンツ情報の中から注目度が高い順にコンテンツ情報の一覧用画像を表示しても良い。
【００４４】
なお、図４に示す時間順一覧表示画面３０１で、コンテンツ情報の配信時間帯を示す表示単位４０１をクリックすると、図３に示すように、その表示単位４０１の時間帯に配信されたコンテンツ情報に対応する一覧用画像が並べられた時間帯内一覧表示画面３０３が操作表示部２０に表示される。
【００４５】
また、図４に示す時間順一覧表示画面３０１で、表示モード設定４００として「カテゴリ順」をクリックすると、図３に示すように、カテゴリ順一覧表示画面３０２が操作表示部２０に表示される。
【００４６】
また、図５に示すカテゴリ順一覧表示画面３０２で、表示カテゴリを示す表示単位４０１をクリックすると、図３に示すように、その表示単位４０１の表示カテゴリに分類されるコンテンツ情報に対応する一覧用画像が並べられたカテゴリ内一覧表示画面３０４が操作表示部２０に表示される。
【００４７】
また、図５に示すカテゴリ順一覧表示画面３０２で、表示モード設定４００として「時間順」をクリックすると、図３に示すように、時間順一覧表示画面３０１が操作表示部２０に表示される。
【００４８】
また、時間順一覧表示画面３０１またはカテゴリ順一覧表示画面３０２で、カテゴリインデックス４０３のいずれかのカテゴリをクリックすると、そのクリックしたカテゴリに分類されるコンテンツ情報に対応する一覧用画像が並べられたカテゴリ内一覧表示画面３０４が操作表示部２０に表示される。
【００４９】
また、時間順一覧表示画面３０１、カテゴリ順一覧表示画面３０２、時間帯内一覧表示画面３０３、カテゴリ内一覧表示画面３０４のそれぞれで表示された一覧用画像群４０２のいずれかの一覧用画像をクリックすると、図３に示すように、そのクリックされた一覧用画像に対応するコンテンツ情報の詳細表示画面３０５が操作表示部２０に表示される。詳細表示画面３０５は、コンテンツ情報を情報処理装置１００に提供する提供サイト先にアクセスし、その提供サイト先からコンテンツ情報の詳細情報を取得して詳細表示画面３０５を作成して操作表示部２０に表示する。
【００５０】
詳細表示画面３０５によりコンテンツ情報の詳細情報を操作表示部２０に表示させると、その操作表示部２０に表示されたコンテンツ情報の種類に応じて、その種類のコンテンツ情報を再生するものとして予め定められたアプリケーションやプラグインにより、そのコンテンツ情報の再生を行うことができるようになっている。また、操作表示部２０等からのユーザ操作により、コンテンツ情報の再生だけでなく、コンテンツ情報に対する投稿、記録、削除等の各種操作ができるようになっている。
【００５１】
例えばコンテンツ情報の種類がＴＶ番組である場合、この詳細表示画面３０５でＴＶ番組を視聴できると共に、ＴＶ番組の録画操作、タイマー録画設定等の各種操作を行うことができる。また、例えばコンテンツ情報の種類が各種のＳＮＳである場合、この詳細表示画面３０５では、選択された人についてのＳＮＳでの投稿記事が投稿時間の新しい順に表示され、各投稿記事へのコメント、画像の装置内への記録等の各種操作を行うことができる。これらの各種操作により詳細表示画面３０５に表示されたコンテンツ情報に対する個人的注目度が更新されることになる。
【００５２】
＜情報処理装置１００の処理動作例＞
次に、図６を参照しながら、本実施形態の情報処理装置１００の処理動作例について説明する。図６は、操作表示部２０にコンテンツ情報を表示する際の処理動作例を示す図である。
【００５３】
まず、コンテンツ情報取得部４１は、通信部１０によりネットワークを介して各種Ｗｅｂサーバ２００に接続し、各種コンテンツ情報を取得する。そして、コンテンツ情報蓄積部３１にカテゴリ毎に分類して蓄積する（ステップＳ１）。
【００５４】
次に、個人的注目度解析部４２は、各コンテンツ情報に対するユーザの興味推定値である個人的注目度を求める。また、社会的注目度解析部４３は、各コンテンツ情報に対する他ユーザの興味推定値である社会的注目度を求める（ステップＳ２）。
【００５５】
次に、纏め部４４は、コンテンツ情報蓄積部３１に蓄積された各種コンテンツ情報の内容を解析し、内容が一致するコンテンツ情報がある場合に、その内容が一致するコンテンツ情報を、その内容を特定する項目に紐付けて纏めてグループ化する（ステップＳ３）。これにより、例えば、I Phoneに関する内容のコンテンツ情報が複数存在する場合に、その複数のコンテンツ情報をI Phoneの項目に紐付けて纏めてグループ化することができる。
【００５６】
次に、コンテンツ情報選択部４５は、個人的注目度解析部４２が求めた個人的注目度を基に、個人的注目度の高いカテゴリ単位から順にユーザにとって興味が大きいカテゴリ単位として、表示順序を設定する（ステップＳ４）。
【００５７】
次に、コンテンツ情報選択部４５は、初期の一覧表示画面が時間順一覧表示画面３０１として設定されている場合は、コンテンツ情報の配信時間帯毎に、注目度の高い順に、各カテゴリ単位に含まれるコンテンツ情報を上位所定数まで表示対象として抽出する（ステップＳ５）。コンテンツ情報を抽出する際に使用する注目度は、個人的注目度と社会的注目度とを総合した総合注目度を用いる。
【００５８】
各表示単位４０１に対して、表示対象として一覧用画像群４０２に含める一覧用画像の数は、表示形式により予め定められている。このため、コンテンツ情報選択部４５は、ステップＳ５の抽出として、各表示単位４０１に対して、表示対象とするコンテンツ情報をその一覧用画像の数だけ抽出する。
【００５９】
なお、コンテンツ情報選択部４５は、注目度の高い順に、各カテゴリ単位に含まれるコンテンツ情報を上位所定数まで表示対象として抽出する場合、コンテンツ情報を各カテゴリ単位についていくつずつ抽出するかは、設定等に応じて適宜定められることとしてよい。あるいは、各カテゴリ単位についていくつずつ抽出するかを、各カテゴリ単位の個人的注目度に応じて所定の方法で算出するようにしてもよい。また、各カテゴリ単位について、そのカテゴリ単位に含まれる各コンテンツ情報の一覧用画像の表示順序は、所定の方法で算出するなど、各種方法で定めてよい。
【００６０】
また、コンテンツ情報選択部４５は、初期の一覧表示画面がカテゴリ順一覧表示画面３０２として設定されている場合は、個人的注目度の高い表示カテゴリから順に、上位所定数の表示カテゴリについて、その表示カテゴリに分類されるカテゴリ単位に含まれる注目度の高いコンテンツ情報を表示対象として抽出する（ステップＳ６）。コンテンツ情報を抽出する際に使用する注目度は、個人的注目度と社会的注目度とを総合した総合注目度を用いる。
【００６１】
各表示単位４０１に対して、表示対象として一覧用画像群４０２に含める一覧用画像の数は、表示形式により予め定められている。このため、コンテンツ情報選択部４５は、ステップＳ６の抽出として、各表示単位４０１に対して、表示対象とするコンテンツ情報をその一覧用画像の数だけ抽出する。
【００６２】
この場合、コンテンツ情報を各カテゴリ単位についていくつずつ抽出するかは、設定等に応じて適宜定められることとしてよい。あるいは、各カテゴリ単位についていくつずつ抽出するかを、各カテゴリ単位の個人的注目度に応じて所定の方法で算出するようにしてもよい。また、各カテゴリ単位について、そのカテゴリ単位に含まれる各コンテンツ情報の一覧用画像の表示順序は、所定の方法で算出するなど、各種方法で定めてよい。
【００６３】
なお、操作表示部２０に表示されるコンテンツ情報に同一内容のコンテンツ情報が複数ある場合、同一内容のコンテンツ情報が一覧に並ぶと見づらく、ユーザにとって煩わしく感じてしまう場合がある。
【００６４】
このため、コンテンツ情報選択部４５は、表示対象として抽出したコンテンツ情報の中に、纏め部４４により同一の項目に紐付けられたコンテンツ情報が複数存在する場合は、その同一の項目に紐付けられた複数のコンテンツ情報の中から同一の項目を代表する代表的なコンテンツ情報を表示対象のコンテンツ情報として選択する（ステップＳ７）。
【００６５】
表示対象とするコンテンツ情報がコンテンツ情報選択部４５により選択されると、表示制御部４６は、コンテンツ情報選択部４５により選択された表示対象のコンテンツ情報に対応する一覧用画像を生成する（ステップＳ８）。
【００６６】
次に、表示制御部４６は、ステップＳ８で生成した一覧用画像を、設定された表示形式の一覧表示画面における所定位置に配置し、一覧表示画面を生成し、操作表示部２０に表示する（ステップＳ９）。
【００６７】
これにより、情報処理装置１００は、図４に示す時間順一覧表示画面３０１や図５に示すカテゴリ順一覧表示画面３０２を操作表示部２０に表示することができる。
【００６８】
＜纏め部４４により同一の項目に紐付けられたコンテンツ情報の閲覧方法例＞
次に、図４、図７〜図１０を参照しながら、纏め部４４により同一の項目に紐付けられたコンテンツ情報の閲覧方法例について説明する。図７は、同一の項目に紐付けられたコンテンツ情報を閲覧する際の処理動作例を示す。図８は、同一の項目に紐付けられたコンテンツ情報の一覧用画像上に纏め読みアイコン５００を重ねて表示した状態の表示画面例を示す。図９は、図８に示す纏め読みアイコン５００をクリックし、同一の項目に紐付けられた複数のコンテンツ情報をばらして纏め読みする場合の表示画面例を示す。図１０は、同一の項目に紐付けられたコンテンツ情報の一覧用画像をクリックし、その一覧用画像のコンテンツ情報の詳細情報を閲覧する場合の表示画面例を示す。
【００６９】
図４に示す時間順一覧表示画面３０１の表示領域Ａに表示されるコンテンツ情報の一覧用画像は、纏め部４４により同一の項目に紐付けられたコンテンツ情報の一覧用画像であるため、その項目に紐付けられたコンテンツ情報の数を示す「２１」の情報が表示されている。図４に示すように、同一の項目に紐付けられたコンテンツ情報の一覧用画像が操作表示部２０に表示されている場合に（ステップＡ１／Ｙｅｓ）、そのコンテンツ情報の一覧用画像が表示されている表示領域Ａ上にマウスカーソルを移動させる等の所定の操作をユーザが行った場合は（ステップＡ２／Ｙｅｓ）、その表示領域Ａに表示されている一覧用画像のコンテンツ情報と同一の項目に紐付けられた複数のコンテンツ情報の一覧用画像を操作表示部２０に一覧表示するための一覧表示機能を有効に切り替え、図８に示すように、表示領域Ａ上の一覧用画像に纏め読みアイコン５００を重ねて表示する（ステップＡ３）。纏め読みアイコン５００には、表示領域Ａに表示された一覧用画像のコンテンツ情報に紐付けられたキーワード等の項目名を表示する。
【００７０】
例えば、複数のコンテンツ情報が「I Phone」に関する内容のコンテンツ情報であると仮定する。この場合、「I Phone」というキーワードを項目として複数のコンテンツ情報を紐付けることになる。この場合、纏め読みアイコン５００には、「I Phone」の項目名を表示する。これにより、表示領域Ａに表示された一覧用画像のコンテンツ情報がどのような項目名で纏められたコンテンツ情報なのかをユーザが把握することができる。なお、表示領域Ａ上にマウスカーソルを移動させる等の所定の操作をユーザが行っていない場合は（ステップＡ２／Ｎｏ）、一覧表示機能を無効に切り替え、纏め読みアイコン５００を操作表示部２０から非表示にし、図４に示す画面に戻すことになる。
【００７１】
図８に示すように表示領域Ａに纏め読みアイコン５００が表示された状態で、ユーザが纏め読みアイコン５００をクリックすると（ステップＡ４／Ｙｅｓ）、図９に示すように、そのクリックされた纏め読みアイコン５００の項目に紐付けられた複数のコンテンツ情報の一覧用画像を一覧表示した纏め読み一覧表示画面６００を操作表示部２０に表示する（ステップＡ５）。纏め読み一覧表示画面６００は、図９に示すように、表示領域Ａに表示されている一覧用画像と対応付けて表示することで、どの一覧用画像のコンテンツ情報に対する纏め読み一覧表示画面６００なのかを把握することができる。なお、纏め読み一覧表示画面６００のみを操作表示部２０に表示するようにすることも可能である。また、纏め読み一覧表示画面６００を表示領域Ａ内に表示し、表示領域Ａ内をスクロール操作することで、複数のコンテンツ情報の一覧用画像を順次閲覧するようにすることも可能である。纏め読み一覧表示画面６００の生成は、項目に紐付けられた複数のコンテンツ情報を用いて、上述した時間順一覧表示画面３０１やカテゴリ順一覧表示画面３０２と同様に作成する。これにより、項目に紐付けられた複数のコンテンツ情報の一覧用画像を操作表示部２０上でユーザが閲覧することができる。なお、纏め読み一覧表示画面６００の一覧用画像群６０１に配置する一覧用画像は、例えば、項目に紐付けられた複数のコンテンツ情報の中で注目度の高いコンテンツ情報の一覧用画像から順番に配置する。例えば、注目度の高いコンテンツ情報の一覧用画像から順番に表示領域Ａ１、Ａ２、Ａ３、Ａ４の順に配置して表示する。これにより、注目度の高い順にコンテンツ情報の一覧用画像を閲覧することができる。なお、纏め読み一覧表示画面６００の一覧用画像群６０１に配置する一覧用画像は、注目度の高いカテゴリ順に配置して表示することも可能である。これにより、ユーザが興味のあるカテゴリ順にコンテンツ情報の一覧用画像を閲覧することができる。また、各カテゴリ毎の代表的なコンテンツ情報の一覧用画像を配置して表示することも可能である。図９に示す纏め読み一覧表示画面６００は、図８に示すように、項目に紐付けられたコンテンツ情報を表示する表示領域Ａと、その表示領域Ａに隣接する表示領域Ｃと、の間を引き裂くように横方向に広げ、その横方向に広げた表示領域に対して、図９に示す複数の表示領域Ａ１、Ａ２、Ａ３、Ａ４・・で構成する纏め読み一覧表示画面６００を表示するようにしている。そして、纏め読み一覧表示画面６００を構成する各表示領域Ａ１、Ａ２、Ａ３、Ａ４に対して、項目に紐付けられた複数のコンテンツ情報を順次表示するようにしている。纏め読み一覧表示画面６００を終了する場合は、例えば、纏め読み一覧表示画面６００以外の表示領域をユーザが操作することで、表示領域Ａと、その表示領域Ａに隣接する表示領域Ｃと、の間の纏め読み一覧表示画面６００を閉じ、図８に示す状態に戻すことになる。これにより、図９に示すように、項目に紐付けられた各コンテンツ情報を閲覧した後は、図８に示すように、各表示対象のコンテンツ情報を表示した状態に戻すことができ、ユーザにとってコンテンツ情報を閲覧し易いユーザインタフェースを構築することができる。
【００７２】
また、図８に示すように表示領域Ａに纏め読みアイコン５００が表示された状態で、ユーザが表示領域Ａに表示された一覧用画像をクリックすると（ステップＡ６／Ｙｅｓ）、図１０に示すように、そのクリックされた一覧用画像のコンテンツ情報の詳細情報を表示する詳細表示画面３０５を操作表示部２０に表示する（ステップＡ７）。詳細表示画面３０５は、コンテンツ情報を情報処理装置１００に提供する提供サイト先にアクセスし、その提供サイト先からコンテンツ情報の詳細情報を取得して詳細表示画面３０５を作成して操作表示部２０に表示する。これにより、コンテンツ情報の詳細情報をユーザが閲覧することができる。図１０に示す詳細表示画面３０５の左端には、コンテンツ情報の配信時間帯を示す情報（１２月２０日の夕方）や、図８に示す一覧用画像群４０２に配置される一覧用画像が表示されている。図１０に示す詳細表示画面３０５の左端に表示された一覧用画像群４０２の一覧用画像をクリックすると、その一覧用画像のコンテンツ情報の詳細情報を表示する詳細表示画面３０５を操作表示部２０に表示することができる。例えば、図１０に示す詳細表示画面３０５の左端に表示された一覧用画像群４０２のＥの一覧用画像をクリックすると、そのＥの一覧用画像のコンテンツ情報の詳細情報を図１０に示す表示領域Ａに表示することになる。この場合、表示領域Ａに表示されたコンテンツ情報の詳細情報が一覧用画像群４０２の中のどの一覧用画像のコンテンツ情報の詳細情報なのかを把握できるように、一覧用画像群４０２の一覧用画像の中で表示領域Ａに表示されているコンテンツ情報の詳細情報に対応する一覧用画像の色を異ならせて表示する。
【００７３】
なお、図９に示す纏め読み一覧表示画面６００に表示された一覧用画像をクリックした場合も、そのクリックした一覧用画像のコンテンツ情報の詳細情報を表示する詳細表示画面３０５を操作表示部２０に表示することになる。
【００７４】
なお、上記では、時間順一覧表示画面３０１を例に説明した。しかし、カテゴリ順一覧表示画面３０２においても纏め部４４により同一の項目に紐付けられたコンテンツ情報の一覧用画像を表示した場合は、上記と同様な処理を行うことで、纏め部４４により同一の項目に紐付けられたコンテンツ情報を閲覧することができる。
【００７５】
＜本実施形態の情報処理装置１００の作用・効果＞
本実施形態の情報処理装置１００は、図６に示すように、ネットワークを介して複数のコンテンツ情報を取得してコンテンツ情報蓄積部３１にカテゴリ毎に蓄積する（ステップＳ１）。そして、コンテンツ情報蓄積部３１に蓄積した複数のコンテンツ情報の中に、内容が一致するコンテンツ情報がある場合に、その内容が一致するコンテンツ情報を、その内容を特定する項目に紐付ける（ステップＳ２）。また、コンテンツ情報蓄積部３１に蓄積した複数のコンテンツ情報の中から操作表示部２０に表示する表示対象のコンテンツ情報を複数選択する（ステップＳ５、Ｓ６）。なお、表示対象のコンテンツ情報の中に、同一の項目に紐付けられた複数のコンテンツ情報が存在する場合は、その同一の項目に紐付けられた複数のコンテンツ情報の中から同一の項目を代表する代表的なコンテンツ情報を表示対象のコンテンツ情報として選択する（ステップＳ７）。そして、選択された表示対象のコンテンツ情報の一覧用画像を操作表示部２０に表示する（ステップＳ８、Ｓ９）。これにより、図４、図５に示す一覧表示画面３０１、３０２を操作表示部２０に表示することができる。本実施形態の情報処理装置１００は、図４、図５に示す一覧表示画面３０１、３０２に代表的なコンテンツ情報の一覧用画像を表示した場合は、その代表的なコンテンツ情報の項目に紐付けられた複数のコンテンツ情報の一覧用画像を操作表示部２０に一覧表示するための一覧表示機能を、操作表示部２０に表示した代表的なコンテンツ情報の一覧用画像に対する所定のユーザ操作に応じて有効にするか否かを切り替える。例えば、代表的なコンテンツ情報の一覧用画像上にマウスカーソルを移動させる等の所定の操作をユーザが行った場合は、一覧表示機能を有効にし、纏め読み一覧表示画面６００を操作表示部２０に表示するための纏め読みアイコン５００を操作表示部２０に表示する。また、代表的なコンテンツ情報の一覧用画像上にマウスカーソルを移動させる等の所定の操作をユーザが行っていない場合は、一覧表示機能を無効に切り替え、纏め読みアイコン５００を操作表示部２０から非表示にする。
【００７６】
本実施形態の情報処理装置１００は、表示対象のコンテンツ情報の中に、同一の項目に紐付けられた複数のコンテンツ情報が存在する場合は、その同一の項目に紐付けられた複数のコンテンツ情報の中から同一の項目を代表する代表的なコンテンツ情報の一覧用画像を操作表示部２０に表示することにしている。このため、操作表示部２０に表示される複数のコンテンツ情報の一覧用画像を閲覧者にとって閲覧し易くすることができる。また、代表的なコンテンツ情報の項目に紐付けられた複数のコンテンツ情報の一覧用画像を操作表示部２０に一覧表示するための一覧表示機能を、操作表示部２０に表示した代表的なコンテンツ情報の一覧用画像に対する所定のユーザ操作に応じて有効にするか否かを切り替えるようにしている。このため、代表的なコンテンツ情報の項目に紐付けられた複数のコンテンツ情報の一覧用画像を操作表示部２０に簡単な操作で表示することができる。
【００７７】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００７８】
例えば、図８、図９に示す表示画面は、横方向にスクロール操作をすることで各種コンテンツ情報を表示画面に順次表示するように構成している。このため、図９に示す纏め読み一覧表示画面６００は、図８に示す表示領域Ａと、その表示領域Ａに隣接する表示領域Ｃと、の間を引き裂くように表示領域を横方向に広げ、その横方向に広げた表示領域に対して、図９に示す複数の表示領域Ａ１、Ａ２、Ａ３、Ａ４・・で構成する纏め読み一覧表示画面６００を表示するようにしている。
【００７９】
しかし、図１１に示すように、経方向にスクロール操作をすることで各種コンテンツ情報を表示領域に順次表示するように構成する場合は、表示領域を引き裂くように縦方向に広げ、その縦方向に広げた表示領域に対して、纏め読み一覧表示画面６００を表示するようにすることも可能である。図１１では、項目に紐付けられたコンテンツ情報の数を示す「３」の情報が表示された表示領域Ａと、その表示領域Ａに隣接する表示領域Ｂと、の間を引き裂くように表示領域を縦方向に広げ、その縦方向に広げた表示領域に対して、纏め読み一覧表示画面６００を表示するようにしている。図１１（ａ）は、纏め読み一覧表示画面６００を表示する前の状態を示し、図１１（ｂ）は、纏め読み一覧表示画面６００を表示した後の状態を示している。図１１では、項目に紐付けられたコンテンツ情報は３つであるため、３つの表示領域Ａ１、Ａ２、Ａ３で構成する纏め読み一覧表示画面６００を表示領域Ａと表示領域Ｂとの間に表示するようにしている。なお、纏め読み一覧表示画面６００を構成する表示領域の数は、図１１（ｂ）に示すように、項目に紐付けられたコンテンツ情報の数で構成するようにしても良く、また、予め定めた数で構成するようにしても良い。纏め読み一覧表示画面６００を予め定めた数の表示領域で構成する場合は、項目に紐付けられたコンテンツ情報の数が予め定められた数以上存在する場合は、纏め読み一覧表示画面６００内をスクロール操作することで各コンテンツ情報を表示領域に順次表示するようにすることが好ましい。
【００８０】
また、図８、図９に示す表示画面では、図８に示す纏め読みアイコン５００をクリックすることで、図９に示すように纏め読み一覧表示画面６００を表示するようにしている。しかし、纏め読みアイコン５００ではなく、項目に紐付けられたコンテンツ情報の数を示す「２１」の情報が表示されているリボンを選択操作することで、図９に示すように纏め読み一覧表示画面６００を表示するようにすることも可能である。図１１では、図１１（ａ）に示す「３」の情報が表示されているリボンをタップ操作することで、図１１（ｂ）に示すように纏め読み一覧表示画面６００を表示するようにしている。
【００８１】
また、上記実施形態の情報処理装置１００を構成する各部における制御動作は、ハードウェア、ソフトウェア、あるいは、両者の複合構成を用いて実行することも可能である。
【００８２】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータ内のメモリにインストールして実行させることが可能である。
【００８３】
例えば、プログラムは、記録媒体としてのハードディスクやROM（Read Only Memory）に予め記録しておくことが可能である。あるいは、プログラムは、リムーバブル記録媒体に一時的、あるいは、永続的に格納（記録）しておくことが可能である。このようなリムーバブル記録媒体は、いわゆるパッケージソフトウエアとして提供することが可能である。リムーバブル記録媒体は、磁気ディスク、半導体メモリなどの各種記録媒体があげられる。
【００８４】
なお、プログラムは、上述したようなリムーバブル記録媒体からコンピュータにインストールすることになる。また、ダウンロードサイトからコンピュータに無線転送することになる。また、ネットワークを介してコンピュータに有線で転送することになる。
【００８５】
プログラムの形態としては、クラウド等によるネット上のサーバからの利用もありえる。一部のプログラムのみをコンピュータに転送して利用する形態もありえる。
【００８６】
また、上記実施形態の情報処理装置１００を構成する各部は、上記実施形態で説明した処理動作に従って時系列的に処理を実行するだけに限定するものでない。例えば、処理を実行する装置の処理能力、あるいは、必要に応じて並列的にあるいは個別に処理を実行するように構築することも可能である。
【符号の説明】
【００８７】
１００    情報処理装置
２００    Ｗｅｂサーバ
１０    通信部
２０    操作表示部
３０    記憶部
３１    コンテンツ情報蓄積部
４０    制御部
４１    コンテンツ情報取得部
４２    個人的注目度解析部
４３    社会的注目度解析部
４４    纏め部
４５    コンテンツ情報選択部
４６    表示制御部
【図１】
2015222565.tif 000003
【図２】
2015222565.tif 000004
【図３】
2015222565.tif 000005
【図４】
2015222565.tif 000006
【図５】
2015222565.tif 000007
【図６】
2015222565.tif 000008
【図７】
2015222565.tif 000009
【図８】
2015222565.tif 000010
【図９】
2015222565.tif 000011
【図１０】
2015222565.tif 000012
【図１１】
2015222565.tif 000013